(57)【特許請求の範囲】
【請求項１】
袋体の内側又は外側に装着されて前記袋体を自立保持する袋体用自立保持体であって、
板材を円弧状に湾曲させた複数の分割胴部が円周方向にずらして配置され、複数の前記分割胴部の端部同士が重合されて固定される重合部を有し、円筒状に形成される胴部と、前記胴部の下端部に配設される底板部と、前記胴部の下端側に円周上に穿設された底部固定孔と、前記底板部の外周側に折り曲げ自在に形成され固定孔が穿設された折返し片と、を備えたことを特徴とする袋体用自立保持体。
【請求項２】
前記胴部が、各々の前記分割胴部の両端部に穿設された連結孔を有し、前記重合部で重合させた前記連結孔に固定ピンが着脱自在に挿通されて前記重合部が固定されることを特徴とする請求項１に記載の袋体用自立保持体。
【請求項３】
前記連結孔が前記胴部の円周方向に沿って長孔状に形成されたことを特徴とする請求項２に記載の袋体用自立保持体。
【請求項４】
袋体と、前記袋体の外側に装着された請求項１乃至３に記載の袋体用自立保持体と、を備えたことを特徴とする自立式袋体。
【発明の詳細な説明】
【技術分野】
【０００１】
本発明は、袋体の内側又は外側に装着することにより袋体を自立保持して、袋体への各種収容物の投入を容易にする袋体用自立保持体と、この袋体用自立保持体が袋体の内側に装着されることにより、鋭利な角を持つ金属片、木片、ガラス片等の廃棄物や重量物を収容しても、袋体が破損することがなく、多様性、信頼性に優れ、特に土のう袋として好適に用いることができる自立式袋体に関するものである。
【背景技術】
【０００２】
従来、大雨等による斜面の崩壊や堤防の決壊、道路冠水等の災害現場、河川工事現場等では、大型のフレキシブルコンテナバッグに真砂土や砕石等を投入して大型土のうを作り、災害現場や工事現場に配置することにより、被害の拡大の防止や止水等の応急措置が行われている。また、大雨等による斜面の崩壊や堤防の決壊、道路冠水等の災害現場では、家屋等に流入した土砂や浸水家財、家屋等の崩壊により発生した廃材を搬出する復旧作業が行なわれている。
これまで土木工事で主流であった一般的なフレキシブルコンテナバッグは、一時的に仮設することを想定したものであったが、近年では紫外線に対する劣化対策を施した耐候性大型土のう袋が広く用いられるようになっており、永久構造物としての設置も検討されている。
しかし、この耐候性大型土のう袋で想定されている投入物は砕石や土砂程度であり、瓦礫や割栗石の投入は想定されていない。
ところが、浸水家財や家屋等は土砂等で砕かれており、これらの廃材や土砂等の中には鋭利な角をもつ金属片、木片、ガラス片等が含まれているため、これらを投入した際に、布地が切れて裂け易いという問題点があった。
これに対し、本願出願人が鋭意検討を行い、出願して特許された（特許文献１）には、底部及び胴部を有する通水性の袋部と、胴部の上部に延設され高含水土砂が投入される開閉自在の開口部が形成された延設部と、袋部に内設され胴部と二重構造となり袋部の目開きよりも大きな２〜５ｍｍの目開きの側面部を有し高含水土砂の一部を留める通水性の自立保持部と、胴部と自立保持部の側面部とを縫合又は連結する固着部材と、を備えた土のう用自立式フレキシブルコンテナが開示されている。
【先行技術文献】
【特許文献】
【０００３】
【特許文献１】特許第４３０３７７４号公報
【発明の開示】
【発明が解決しようとする課題】
【０００４】
（１）（特許文献１）の土のう用自立式フレキシブルコンテナは、土砂等の収容物を投入する初期段階において袋部を確実に支えることができ、袋部を支える作業者は最小限の人数で済み収容物投入作業の省力性に優れ、収容物によって袋部が裂けたり破れたりするのを防止できるものであり、袋部として耐候性大型土のうを用いることができるが、自立保持部は、量産性に欠けると共に、使用しない時でも収納スペースが必要で、搬送性、取扱い性に欠けるという課題があり、災害現場等からの安定供給や緊急性の要求に応えることのできる量産性、搬送性、取扱い性、組立て及び分解の作業性に優れる袋体用自立保持体及びそれを備えた自立式袋体の実現が強く望まれていた。
【０００５】
本発明は上記従来の要望に応えるもので、組立て及び分解が容易で量産性、供給安定性に優れ、使用しない時には嵩張らず、省スペース性、搬送性に優れると共に、使用する時には短時間で袋体の内側又は外側に装着して袋体を自立保持することができ、取扱い性、汎用性に優れる袋体用自立保持体の提供、及びこの袋体用自立保持体が袋体の内側に装着されることにより、鋭利な角を持つ金属片、木片、ガラス片等の廃棄物や重量物を収容しても、袋体が破損することがなく、多様性、信頼性に優れる自立式袋体の提供を目的とする。
【課題を解決するための手段及びそれによって得られる作用、効果】
【０００６】
上記従来の課題を解決するために本発明の袋体用自立保持体及びそれを備えた自立式袋体は、以下の構成を有している。
本発明の請求項１に記載の袋体用自立保持体は、袋体の内側又は外側に装着されて前記袋体を自立保持する袋体用自立保持体であって、板材を円弧状に湾曲させた複数の分割胴部が円周方向にずらして配置され、複数の前記分割胴部の端部同士が重合されて固定される重合部を有し、円筒状に形成される胴部と、前記胴部の下端部に配設される底板部と、前記胴部の下端側に円周上に穿設された底部固定孔と、前記底板部の外周側に折り曲げ自在に形成され固定孔が穿設された折返し片と、を備えた構成を有している。
この構成により、以下のような作用、効果が得られる。
（１）板材を円弧状に湾曲させた複数の分割胴部が円周方向にずらして配置され、複数の分割胴部の端部同士が重合されて固定される重合部を有し、円筒状に形成される胴部を備えているので、使用しない時は袋体とは別に平板状の分割胴部を積み重ねて保管したり、搬送したりすることができ、収納時の省スペース性に優れる。
（２）胴部が複数の分割胴部で形成されるので、分割胴部１枚当たりの長さを短くすることができ、量産性、取扱い性に優れると共に、小型のトラックなどの荷台にも大量に積み込んで輸送することができ、供給安定性、搬送性に優れる。
（３）複数の分割胴部の端部同士が重合されて固定される重合部を有するので、固定の信頼性、胴部の形状安定性に優れる。
（４）胴部の下端部に配設される底板部を有することにより、底板部で胴部の下端部を固定することができ、胴部の形状安定性、取扱い性に優れる。
（５）胴部の下端部に底板部が配設されているので、袋体用自立保持体が袋体の内側に装着されることにより、袋体の底部を底板部で保護することができ、鋭利な角を持つ金属片、木片、ガラス片等の廃棄物や瓦礫等の重量物を収容しても、袋体の底部が破れることがなく、収容物を確実に収容、搬送することができ、信頼性に優れる。（００１２）
（６）胴部の下端側に円周上に穿設された底部固定孔と、底板部の外周側に折り曲げ自在に形成され固定孔が穿設された折返し片と、を有するので、底板部の折返し片を折り曲げ、胴部の底部固定孔と折返し片の固定孔を重ねて固定ピン等を挿通するだけで簡単かつ確実に胴部に底板部を取付けることができ、組立作業性に優れる。
【０００７】
ここで、分割胴部の材質としては、鉄（トタン）、ステンレス等の金属やポリエチレン、塩化ビニール等の合成樹脂、合成ゴム、ベニヤ板等が好適に用いられる。金属製の分割胴部の板厚は、０．３〜０．７ｍｍ、より好ましくは０．３〜０．５ｍｍのものが好適に用いられる。金属製の分割胴部の板厚が０．３ｍｍより薄くなるにつれ、耐久性が低下して変形が発生し易くなる傾向があり、好ましくない。また、０．５ｍｍより厚くなるにつれ、剛性が高くなり手で湾曲させることが困難になって、曲げ加工が必要で組立作業性が低下する傾向があり、特に０．７ｍｍより厚くなると、加工性が著しく低下し、量産性、搬送性に欠け、好ましくない。
合成樹脂製等の分割胴部の板厚は、０．５〜３ｍｍのものが好適に用いられる。合成樹脂製の分割胴部の板厚が０．３ｍｍより薄くなるにつれ、耐久性が低下して変形が発生し易くなる傾向があり、０．７ｍｍより厚くなるにつれ、剛性が高くなり湾曲し難くなって、組立作業性が低下し易くなる傾向があり、いずれも好ましくない。
分割胴部の枚数は２〜４枚が好ましい。１枚の板材を丸めて胴部を形成しようとすると、胴部の直径が１ｍの場合での板材が３ｍ以上の長尺になり、量産性、搬送性、取扱い性に欠ける。また、重合部には湾曲させた板材を元に戻そうとする大きな復元力がかかり、固定の確実性、形状の安定性に欠ける。また、分割胴部の枚数が４枚より増えるにつれ、板材が短くなって湾曲させ難くなると共に、胴部の組立作業が煩雑になり、組立作業性が低下し易くなる傾向があり、好ましくない。
【０００８】
袋体に投入される収容物の量が増えるにつれ、袋体の自立性が高まるので、分割胴部の重合部は、少なくとも袋体に収容物を投入する初期段階だけ固定されていればよい。袋体用自立保持体が袋体の内側に装着される場合は、収容物の量が増え、胴部を外方に拡げる力が加わって重合部の固定が外れても、胴部は袋体の内部にそのまま保持されるので、問題はない。また、袋体用自立保持体が袋体の外側に装着される場合は、重合部の固定が外れ、胴部が円筒形状を保てなくなり、袋体を支えることができなくなった場合でも、収容物によって袋体の形状が保たれ自立するので、問題はない。よって、接着、溶着、溶接等の方法により重合部を接合して固定する以外に、クリップ等により重合部を挟持して固定する方法、各々の分割胴部の両端部に予め連結孔を形成しておき、重合部で重合させた連結孔に固定ピンを挿通したり、重合部をスナップボタンやリベット等の留め具で挟着したりして固定する方法、胴部の外周全体を結束部材で囲繞することにより重合部を固定する方法などを用いることができる。尚、着脱自在な固定手段を用いて重合部を固定することにより、使用後は固定手段を取り外して胴部を容易に分解することができ、平板状の分割胴部として搬送や保管を行うことができ、取扱い性に優れる。
胴部には排水孔を設け、通水性を持たせてもよい。尚、排水孔の孔径、数、配置等は適宜、選択することができる。
ここで、底板部の材質や板厚は分割胴部と同様なので説明を省略する。また、底板部には胴部と同様に排水孔を設け、通水性を持たせてもよい。尚、排水孔の孔径、数、配置等は適宜、選択することができる。
胴部と底板部との固定方法は適宜選択することができる。底板部の周縁部に設けた係止片を分割胴部の下端側に形成した切れ目部に差込んで固定してもよいし、底板部の周縁部に設けた固定片を分割胴部に接着、溶着、溶接等の方法により接合して固定してもよい。
ここで、折返し片の形状は適宜、選択することができる。また、折返し片の数は３箇所〜８箇所が好ましい。折返し片の数が３箇所より少なくなるにつれ、胴部と底板部の固定が不安定になり、形状安定性が低下し易くなる傾向があり、８箇所より多くなるにつれ、作業工数が増え、組立及び分解の作業性が低下し易くなる傾向があり、いずれも好ましくない。
【０００９】
請求項２に記載の発明は、請求項１に記載の袋体用自立保持体であって、前記胴部が、各々の前記分割胴部の両端部に穿設された連結孔を有し、前記重合部で重合させた前記連結孔に固定ピンが着脱自在に挿通されて前記重合部が固定された構成を有している。
この構成により、請求項１で得られる作用、効果に加え、以下のような作用が得られる。
（１）胴部が、各々の分割胴部の両端部に穿設された連結孔を有するので、各々の分割胴部の端部を重ね合わせ、重なった連結孔に固定ピンを挿通するだけで、分割胴部を容易に連結することができ、所定の枚数を連結した後に、全体を円筒状に湾曲させ、両端部を重合させて、同様に重なった連結孔に固定ピンを挿通することにより、胴部を形成することができ、組立作業性に優れる。
（２）重合部で重合させた連結孔に固定ピンが着脱自在に挿通されて重合部が固定されるので、使用後は固定ピンを抜取るだけで容易に胴部を分解することができ、分解作業性に優れると共に、平板状の分割胴部として搬送や保管を行うことができ、取扱い性に優れる。
（３）胴部の重合部を固定する固定ピンが着脱自在なので、組立、分解を容易に行って分割胴部を繰返し使用することができ、省資源性に優れる。
【００１０】
ここで、連結孔の数は、胴部の高さ（長さ）に応じて、適宜、選択することができるが、胴部の高さ方向に少なくとも３箇所配置することにより、固定の安定性に優れる。また、固定ピンは軸部を連結孔に挿通して固定できるものであればよいが、特に軸部を連結孔に挿通した後、拡径できるものは外力などが加わっても抜け難く、固定の信頼性に優れるので、好ましい。
また、連結孔の形状は丸孔でも長孔でもよいが、丸孔の場合、分割胴部を連結して形成される円筒状の胴部の直径が、一定に保持されるので、形状安定性に優れる。尚、丸孔の連結孔を胴部の円周方向に沿って複数設けた場合、分割胴部の端部同士を重ね合わせる際に、どの連結孔で固定するかを選択することにより、胴部の直径を調整することができる。また、連結孔の形状が長孔の場合は、胴部の直径を微調整することができ、汎用性に優れる。
【００１１】
請求項３に記載の発明は、請求項２に記載の袋体用自立保持体であって、前記連通孔が前記胴部の円周方向に沿って長孔状に形成された構成を有している。
この構成により、請求項２で得られる作用、効果に加え、以下のような作用が得られる。
（１）連通孔が胴部の円周方向に沿って長孔状に形成されているので、固定ピンによる固定位置によって胴部の直径を調整することができ、汎用性に優れる。
（２）連通孔が胴部の円周方向に沿って長孔状に形成されているので、袋体用自立保持体が袋体の外側に装着される場合は、袋体に収容物を投入した後、連通孔に固定ピンを挿通した状態で、連通孔を固定ピンに沿ってスライドさせ、胴部を拡径させることにより、袋体のみを上方に吊り上げる等して容易に取り外すことができ、胴部を分解する必要がなく、すぐに新たな袋体を装着することができ、連続作業性に優れる。
【００１６】
本発明の請求項４に記載の自立袋体は、袋体と、前記袋体の外側に装着された請求項１乃至３に記載の袋体用自立保持体と、を備えた構成を有している。
この構成により、以下のような作用、効果が得られる。
（１）袋体の内側に胴部と底板部を有する袋体用自立保持体が装着されることにより、袋体の内周面及び底面を袋体用自立保持体で確実に保護することができ、鋭利な角を持つ金属片、木片、ガラス片等の廃棄物や瓦礫等の重量物を収容しても、袋体が破損することがなく、多様性、信頼性に優れる。
（２）袋体の内側に胴部と底板部を有する袋体用自立保持体が装着されることにより、袋体の形状安定性、自立安定性に優れる。
【００１７】
ここで、袋体の材質や大きさは用途等に応じて、適宜、選択することができるが、耐候性大型土のう袋が好適に用いられる。
自立式袋体に収容する収容物としては、土砂、汚泥、砕石、瓦礫、浸水家財、家屋等の崩壊により発生した廃材、金属片、木片、ガラス片等の各種廃棄物、粉体、粒体、活性炭や木炭、貝殻等、適宜、選択することができるが、これらに限定されるものではない。また、袋体の内側に装着される袋体用自立保持体を型枠代わりにして、コンクリートを流し込み、擁壁等の固定構造物として使用することもできる。
袋体用自立保持体を袋体の内側に装着する場合、胴部及び底板部に排水孔がなければ、袋体に直接、収容物を収容するよりも水密性が高く、水分が袋体の外に漏れ難くなるので、含水率の高い収容物でも収容することができ、自立式袋体の用途を広げることができる。
【図面の簡単な説明】
【００１８】
【図１】実施の形態１における袋体用自立保持体の模式斜視図
【図２】（ａ）実施の形態１における袋体用自立保持体を形成する分割胴部の模式展開平面図  （ｂ）実施の形態１における袋体用自立保持体を形成する底板部の組立前の模式平面図
【図３】実施の形態１における袋体用自立保持体の胴部を組立てた状態を示す模式斜視図
【図４】（ａ）実施の形態１における袋体用自立保持体を備えた自立式袋体を示す模式斜視図  （ｂ）実施の形態１における袋体用自立保持体を備えた自立式袋体を示す模式平面図
【図５】実施の形態２における袋体用自立保持体の使用状態を示す模式斜視図
【発明を実施するための最良の形態】
【００１９】
以下、本発明を実施するための最良の形態を、図面を参照しながら説明する。
（実施の形態１）
図１は実施の形態１における袋体用自立保持体の模式斜視図であり、図２（ａ）は実施の形態１における袋体用自立保持体を形成する分割胴部の模式展開平面図であり、図２（ｂ）は実施の形態１における袋体用自立保持体を形成する底板部の組立前の模式平面図であり、図３は実施の形態１における袋体用自立保持体の胴部を組立てた状態を示す模式斜視図である。
図１中、１は実施の形態１における袋体用自立保持体、２は鉄（トタン）、ステンレス等の金属製又はベニヤ等の合板、ポリエチレン、塩化ビニール等の合成樹脂製の板材を円弧状に湾曲させた２枚の分割胴部３を連結して円筒状に形成された袋体用自立保持体１の胴部、３ａは円周方向にずらして配置した２枚の分割胴部３の端部同士が一定の幅で重合されて固定された胴部３の２箇所の重合部、４は各々の分割胴部３の両端部に３箇所ずつ穿設された丸孔や長孔状の連結孔、５は胴部２に通水性を持たせるために分割胴部３の適宜の箇所に穿設された複数の排水孔、７は胴部３の下端側に配設された袋体用自立保持体１の底板部、８は底板部７の外周側に形成された８箇所の折返し片、１０は重合部３ａで重合させた連結孔４に軸部１０ａが着脱自在に挿通されて重合部３ａを固定する固定ピン、１１は胴部２の下端側に底板部７の折返し片８を固定する固定ピンである。
図２（ａ）及び図３中、６は胴部２の下端側に固定ピン１１を用いて底板部７を固定するために各々の分割胴部３の下端側に所定の間隔で４箇所ずつ穿設された底部固定孔である。
図２（ｂ）中、８ａは折返し片８を折り曲げ易くするために折返し片８の根元側に形成されたくびれ部、８ｂは折返し片８を略直角に折り曲げた時に胴部２の底部固定孔６（図３）と重なる位置に穿設され固定ピン１１が挿通される固定孔、９は底板部７に通水性を持たせるために底板部７の適宜の箇所に穿設された複数の排水孔である。
【００２０】
以上のように構成された実施の形態１における袋体用自立保持体の組立方法について説明する。
まず、図２（ａ）の平板状の分割胴部３を２枚用意し、端部の３箇所の連結孔４同士を重ね合わせるようにして、それぞれに固定ピン１０を挿通する。
次に、連結した２枚の分割胴部３を湾曲させて両端部の３箇所の連結孔４同士を重ね合わせ、同様に固定ピン１０を挿通して、図３に示した円筒状の胴部２が得られる。このとき、各々の分割胴部３の連通孔４が胴部２の円周方向に沿って長孔状に形成されているので、固定ピン１０の固定位置によって胴部２の直径を調整することができるが、いずれか一方の分割胴部３の連通孔４を丸孔に形成してもよいし、両方の分割胴部３の連通孔４を丸孔に形成してもよい。
次に、図２（ｂ）に示した組立前の底板部７の折返し片８をくびれ部８ａで略直角に折り曲げ、胴部２の底部固定孔６（図３）と、底板部７の折返し片８の固定孔８ｂが重なるようにして、固定ピン１１を挿通し、図１の袋体用自立保持体１が得られる。
【００２１】
本実施の形態では、分割胴部３の板厚は、金属製の場合は０．３〜０．５ｍｍとし、合成樹脂製等の場合は０．５〜３ｍｍとした。それぞれ板厚が０．３ｍｍ或いは０．５ｍｍより薄くなるにつれ、耐久性が低下して変形が発生し易くなる傾向があり、０．５ｍｍ或いは３ｍｍより厚くなるにつれ、剛性が高くなって湾曲し難くなり、組立作業性が低下し易くなる傾向があることがわかったためである。
また、本実施の形態では、２枚の分割胴部３を湾曲、連結して胴部２を形成したが、分割胴部３の枚数は２〜４枚の中から適宜、選択することができる。１枚の板材を丸めて胴部３を形成しようとすると、胴部３の直径が１ｍの場合での板材が３ｍ以上の長尺になり、量産性、搬送性、取扱い性に欠けると共に、重合部３ａには湾曲させた板材を元に戻そうとする大きな復元力がかかり、固定の確実性、形状の安定性に欠ける傾向がある。また、分割胴部３の枚数が４枚より増えるにつれ、板材が短くなって湾曲させ難くなると共に、胴部２の組立作業が煩雑になり、組立作業性が低下し易くなる傾向がある。
【００２２】
本実施の形態では、重合部３ａで重合させた連結孔４に固定ピン１０を挿通して重合部３ａを固定したが、固定ピン１０の代わりに、スナップボタンやリベット等の留め具で重合部３ａを挟着して固定してもよい。また、クリップ等により重合部３ａを挟持して固定する方法や胴部２の外周全体を結束部材で囲繞することにより重合部３ａを固定する方法などを用いてもよい。このような着脱自在な固定手段を用いて重合部３ａを固定することにより、使用後は固定手段を取り外して胴部２を容易に分解することができ、平板状の分割胴部３として搬送や保管を行うことができ、取扱い性に優れる
尚、接着、溶着、溶接等の方法により重合部３ａを接合して固定すれば、胴部２の形状安定性、耐久性に優れる。
【００２３】
以上のように構成された実施の形態１における袋体用自立保持体を備えた自立式袋体について説明する。
図４（ａ）は実施の形態１における袋体用自立保持体を備えた自立式袋体を示す模式斜視図であり、図４（ｂ）は実施の形態１における袋体用自立保持体を備えた自立式袋体を示す模式平面図である。
図４中、２０はポリプロピレン等の合成樹脂製の布や合成ゴム等で形成されたフレキシブルコンテナバッグ等の袋体２１の内側に実施の形態１の袋体用自立保持体１が装着された自立式袋体、２２は略円形状に形成された袋体２１の底部（図３（ａ））、２３は底部２２と一体の筒状に形成された袋体２１の胴体部、２４は胴体部２３の上部側に溶着若しくは接着又は縫合等によって取り付けられた吊り部（図３（ａ））、２５は底部２２に十字状に架け渡され胴体部２３の高さ方向に沿って配設され吊り部２４で胴体部２３に縫合されループ状に形成された吊り手、２６は胴体部２３の上部に延設され網目状の布で形成された延設部（図３（ａ））、２７は延設部２６に形成された円形状の開口部、２８は延設部２６に縫合等によって固着され開口部２７を緊締する縛り紐である。
尚、袋体用自立保持体１と共に使用する袋体はこれに限定されるものではなく、適宜、選択することができる。
【００２４】
以上のように構成された本発明の実施の形態１における袋体用自立保持体を備えた自立式袋体の使用方法を説明する。
災害現場や工事現場等で袋体用自立保持体１を組立て、袋体２１の内側に装着し、袋体２１の底部２２を着地させ開口部２７を開口させる。
開口部２７から土砂や浸水家財、家屋等の崩壊により発生した廃材や瓦礫等の各種収容物を投入すると、投入された収容物は袋体２１内に堆積して、袋体２１は袋体用自立保持体１に支えられて自立した状態を保つ。
収容物が増えるにつれ、袋体２１を外方に拡げようとする力が発生するが、胴体部２３の内周面が袋体用自立保持体１の胴部２で補強されているため、円筒形状が保たれ、袋体２１を安定に立設させておくことができ、形状安定性、自立安定性に優れる。
また、袋体２１の胴体部２３及び底部２２が袋体用自立保持体１の胴部２及び底板部７で保護されているため、収容物の中に鋭利な角を持つ金属片、木片、ガラス片等の廃棄物や重量物が混入していても、袋体２１の胴体部２３や底部２２が破れることがなく、収容物を確実に収容、搬送することができる。
袋体２１に収容物を一杯に充填した後、開口部２７を縛り紐２８で緊締して閉じることにより、土のう等として使用することができる。袋体２１の内周が、袋体用自立保持体１の胴部２で保護されることにより、自立式袋体２０が凹凸のない円筒状に形成されるので、複数の自立式袋体２０を密着させて並設することができ、土のうとしての機能性に優れる。また、袋体２１の底部２２が、袋体用自立保持体１の底板部７で保護され平坦状に形成されるので、自立式袋体２０の設置安定性に優れ、複数の自立式袋体２０を積み重ねても倒れ難く、土のうや擁壁代わりに使用する際の信頼性に優れる。
尚、自立式袋体２０の用途によっては、袋体用自立保持体１の底板部７を省略してもよい。つまり、収容物の中に鋭利な角を持つ金属片、木片、ガラス片等の廃棄物や瓦礫等の重量物が混入しておらず、袋体２１の底部２２が破損するおそれがない場合は、底板部７を省略することにより、組立作業性、省資源性を向上できる。
【００２５】
以上のように、本発明の実施の形態１における袋体用自立保持体は構成されているので、以下のような作用が得られる。
（１）板材を円弧状に湾曲させた複数の分割胴部が円周方向にずらして配置され、複数の分割胴部の端部同士が重合されて固定される重合部を有し、円筒状に形成される胴部を備えているので、使用しない時は袋体とは別に平板状の分割胴部を積み重ねて保管したり、搬送したりすることができ、収納時の省スペース性に優れる。
（２）胴部が複数の分割胴部で形成されるので、分割胴部１枚当たりの長さを短くすることができ、量産性、取扱い性に優れると共に、小型のトラックなどの荷台にも大量に積み込んで輸送することができ、供給安定性、搬送性に優れる。
（３）複数の分割胴部の端部同士が重合されて固定される重合部を有するので、固定の信頼性、胴部の形状安定性に優れる。
（４）胴部が、各々の分割胴部の両端部に穿設された連結孔を有するので、各々の分割胴部の端部を重ね合わせ、重なった連結孔に固定ピンを挿通するだけで、分割胴部を容易に連結することができ、所定の枚数を連結した後に、全体を円筒状に湾曲させ、両端部を重合させて、同様に重なった連結孔に固定ピンを挿通することにより、胴部を形成することができ、組立作業性に優れる。
（５）重合部で重合させた連結孔に固定ピンが着脱自在に挿通されて重合部が固定されるので、使用後は固定ピンを抜取るだけで容易に胴部を分解することができ、分解作業性に優れると共に、平板状の分割胴部として搬送や保管を行うことができ、取扱い性に優れる。
（６）胴部の重合部を固定する固定ピンが着脱自在なので、組立、分解を容易に行って分割胴部を繰返し使用することができ、省資源性に優れる。
（７）連通孔が胴部の円周方向に沿って長孔状に形成されているので、固定ピンによる固定位置によって胴部の直径を調整することができ、汎用性に優れる。
（８）胴部の下端部に配設される底板部を有することにより、底板部で胴部の下端部を固定することができ、胴部の形状安定性、取扱い性に優れる。
（９）胴部の下端部に底板部が配設されているので、袋体用自立保持体が袋体の内側に装着されることにより、袋体の底部を底板部で保護することができ、鋭利な角を持つ金属片、木片、ガラス片等の廃棄物や瓦礫等の重量物を収容しても、袋体の底部が破れることがなく、収容物を確実に収容、搬送することができ、信頼性に優れる。
（１０）胴部の下端側に円周上に穿設された底部固定孔と、底板部の外周側に折り曲げ自在に形成され固定孔が穿設された折返し片と、を有するので、底板部の折返し片を折り曲げ、胴部の底部固定孔と折返し片の固定孔を重ねて固定ピン等を挿通するだけで簡単かつ確実に胴部に底板部を取付けることができ、組立作業性に優れる。
【００２６】
以上のように構成された実施の形態１における袋体用自立保持体を備えた自立式袋体によれば、以下のような作用が得られる。
（１）袋体の内側に胴部と底板部を有する袋体用自立保持体が装着されることにより、袋体の内周面及び底面を袋体用自立保持体で確実に保護することができ、鋭利な角を持つ金属片、木片、ガラス片等の廃棄物や瓦礫等の重量物を収容しても、袋体が破損することがなく、多様性、信頼性に優れる。
（２）袋体の内側に胴部と底板部を有する袋体用自立保持体が装着されることにより、袋体の形状安定性、自立安定性に優れる。
【００２７】
（実施の形態２）
図５は実施の形態２における袋体用自立保持体の使用状態を示す模式斜視図である。
また、実施の形態２における袋体用自立保持体１Ａの使用方法が実施の形態１と異なるのは、袋体用自立保持体１Ａがポリプロピレン等の合成樹脂製の布等で形成された袋体２１Ａの外側に配設されている点である。尚、袋体２１Ａの上端側が胴部２の上端外周に折り返されることにより、分割胴部３が平板状に戻ろうとするのを防止して、胴部２の上端部の形状を略円形状に保持することができ、形状安定性に優れる。
実施の形態１と同様に各種収容物を収容した後、胴部２の上端外周に折り返されていた袋体２１Ａの上端側を胴部２の上方に引き上げ、袋体２１を袋体用自立保持体１Ａから取り外す。このとき、連通孔４に固定ピン１０を挿通した状態で、連通孔４を固定ピン１０に沿ってスライドさせ、胴部２を拡径させれば、袋体２１を袋体用自立保持体１Ａから容易に取り外すことができる。また、連通孔４から固定ピン１０を抜取って、胴部２を分解してもよい。
【００２８】
以上のように本発明の実施の形態２における袋体用自立保持体は構成されているので、実施の形態１の（１）乃至（７）に記載した作用に加え、以下のような作用が得られる。
（１）連通孔が胴部の円周方向に沿って長孔状に形成されているので、袋体に収容物を投入した後、連通孔に固定ピンを挿通した状態で、連通孔を固定ピンに沿ってスライドさせ、胴部を拡径させることにより、袋体のみを上方に吊り上げる等して容易に取り外すことができ、胴部を分解する必要がなく、すぐに新たな袋体を装着することができ、連続作業性に優れる。
【産業上の利用可能性】
【００２９】
本発明は、組立て及び分解が容易で量産性、供給安定性に優れ、使用しない時には嵩張らず、省スペース性、搬送性に優れると共に、使用する時には短時間で袋体の内側又は外側に装着して袋体を自立保持することができ、取扱い性、汎用性に優れる袋体用自立保持体の提供、及びこの袋体用自立保持体が袋体の内側に装着されることにより、鋭利な角を持つ金属片、木片、ガラス片等の廃棄物や重量物を収容しても、袋体が破損することがなく、多様性、信頼性に優れる自立式袋体の提供を行うことができ、特に土のう袋の普及を図り、被災地等における復旧作業の迅速化に貢献できる。
【符号の説明】
【００３０】
１，１Ａ  袋体用自立保持体
２  胴部
３  分割胴部
３ａ  重合部
４  連結孔
５  排水孔
６  底部固定孔
７  底板部
８  折返し片
８ａ  くびれ部
８ｂ  固定孔
９  排水孔
１０，１１  固定ピン
１０ａ  軸部
２０  自立式袋体
２１，２１Ａ  袋体
２２  底部
２３  胴体部
２４  吊り部
２５  吊り手
２６  延設部
２７  開口部
２８  縛り紐
【図１】
0006255654.tif 000002
【図２】
0006255654.tif 000003
【図３】
0006255654.tif 000004
【図４】
0006255654.tif 000005
【図５】
0006255654.tif 000006